(57)【要約】      （修正有） 【課題】椎骨近傍の筋に磁気を作用させて、背骨に凝り感やだるさや痛みを解消するための手段の提供。  【解決手段】本発明の身体装着体１は、身体装着時に、身体の脊椎の近傍に磁気を発生させる磁気発生手段と、この磁気発生手段を身体の脊椎近傍に保持する保持手段とを具備している。また、磁気発生手段は、少なくとも一面側に磁極が配設された可撓性の板状磁石２で形成され、保持手段は、身体へ着脱可能な腰ベルト部３１と、前記腰ベルト部の背中部分から縦に取り付けられた帯状保持部３２と、前記帯状保持部の上端近傍に一端が取り付けられ他端が前記腰ベルト部の腹部分に着脱可能な肩ベルト部３３，３３とから構成されている。また、前記可撓性の板状磁石を脊椎に沿って湾曲させて保持するための湾曲保持手段を備えている。【選択図】 図１
2006230862.tif 000002
【特許請求の範囲】
【請求項１】
身体装着時に、身体の脊椎の近傍に磁気を発生させる磁気発生手段と、この磁気発生手段を身体の脊椎近傍に保持する保持手段とを具備したことを特徴とする身体装着体。
【請求項２】
磁気発生手段は、少なくとも一面側に磁極が配設された可撓性の板状磁石で形成され、
保持手段は、身体へ着脱可能な腰ベルト部と、前記腰ベルト部の背中部分から縦に取り付けられた帯状保持部と、前記帯状保持部の上端近傍に一端が取り付けられ他端が前記腰ベルト部の腹部分に着脱可能な肩ベルト部とから構成されていることを特徴とする請求項１に記載の身体装着体。
【請求項３】
前記可撓性の板状磁石を脊椎に沿って湾曲させて保持するための湾曲保持手段を備えていることを特徴とする請求項２に記載の身体装着体。
【請求項４】
前記腰ベルト部の少なくとも一部は、伸縮可能な素材で形成されていることを特徴とする請求項２、３の何れか１項に記載の身体装着体。
【請求項５】
前記保持手段は、面ファスナーによって着脱可能に形成されていることを特徴とする請求項１に記載の身体装着体。
【発明の詳細な説明】
【技術分野】
【０００１】
本発明は、磁気治療効果を得るための身体装着体に関するものである。
【背景技術】
【０００２】
人間の脊椎を構成する椎骨には棘突起と横突起があり、棘突起から１つ下あるいは２つ下の椎骨の横突起に付着する棘筋と上と下の椎骨の横突起に付着する横突間筋がある。これらの筋は背骨を回旋させる筋と横に弯曲させる筋である。これらの筋を過剰に使い疲れが生じたときに、背骨に凝り感やだるさや痛みを感じるのである。
【発明の開示】
【発明が解決しようとする課題】
【０００３】
しかし、肩凝り対策用の小型磁石等は椎骨の回りに配置しにくいという問題があった。
【０００４】
そこで、本発明は、椎骨近傍の筋に磁気を作用させて、背骨に凝り感やだるさや痛みを解消するための手段の提供を目的としてなされたものである。
【課題を解決するための手段】
【０００５】
本発明にかかる身体装着体においては、
身体装着時に、身体の脊椎の近傍に磁気を発生させる磁気発生手段と、この磁気発生手段を身体の脊椎近傍に保持する保持手段とを具備している。
また、磁気発生手段は、少なくとも一面側に磁極が配設された可撓性の板状磁石で形成され、保持手段は、身体へ着脱可能な腰ベルト部と、前記腰ベルト部の背中部分から縦に取り付けられた帯状保持部と、前記帯状保持部の上端近傍に一端が取り付けられ他端が前記腰ベルト部の腹部分に着脱可能な肩ベルト部とから構成されている。
また、前記可撓性の板状磁石を脊椎に沿って湾曲させて保持するための湾曲保持手段を備えている。
また、前記腰ベルト部の少なくとも一部は、伸縮可能な素材で形成されている。
なお、前記肩ベルトは長さ調節可能な左右一対のベルトで形成されている。
また、前記保持手段は、面ファスナーによって着脱可能に形成されている。
【発明の効果】
【０００６】
本発明によれば、身体装着時に、身体の脊椎の近傍に磁気を発生させる磁気発生手段と、この磁気発生手段を身体の脊椎近傍に保持する保持手段とを具備しているので、背骨に対する磁気効果が期待できる。
また、磁気発生手段は、少なくとも一面側に磁極が配設された可撓性の板状磁石で形成され、保持手段は、身体へ着脱可能な腰ベルト部と、前記腰ベルト部の背中部分から縦に取り付けられた帯状保持部と、前記帯状保持部の上端近傍に一端が取り付けられ他端が前記腰ベルト部の腹部分に着脱可能な肩ベルト部とから構成されているので、効果的な磁気作用が期待できる。
また、前記可撓性の板状磁石を脊椎に沿って湾曲させて保持するための湾曲保持手段を備えているので、背骨が湾曲していても効果的な磁気作用が期待できる。
そして、前記腰ベルト部の少なくとも一部は、伸縮可能な素材で形成されているので、腹囲の大小にかかわらず装着することができる。
なお、前記肩ベルトは長さ調節可能な左右一対のベルトで形成されているので、確実に装着することができる。
また、前記保持手段は面ファスナーによって着脱可能に形成されているので、着脱が容易であるとともに、種々の大きさで装着できる。
【発明を実施するための最良の形態】
【０００７】
以下に、本発明にかかる身体装着体を、その実施の形態を示した図面に基づいて詳細に説明する。
前記身体装着体の斜視図を示した図１において、
１は身体装着体であり、少なくとも一面側に磁極が配設された可撓性の板状ゴム磁石２と、前記板状ゴム磁石２を身体の脊椎近傍に保持する保持手段３とから構成されている。
そして、前記保持手段３は、身体へ着脱可能な腰ベルト部３１と、前記腰ベルト部３１の背中部分Ａから縦に取り付けられた帯状保持部３２と、前記帯状保持部３２の上端近傍Ｂに一端が取り付けられ他端が前記腰ベルト部３１の腹部分Ｃ、Ｃに着脱可能な肩ベルト部３３、３３とから構成されている。
前記帯状保持部３２の内部に前記板状ゴム磁石２が保持されている。
【０００８】
４は、前記板状ゴム磁石２を脊椎に沿って湾曲させて保持するための湾曲保持ベルトであり、前記板状ゴム磁石２が保持されている前記帯状保持部３２の下部（前記背中部分Ａより上部）Ｄに面ファスナーで止着された伸縮可能なベルト状の部材である。
この湾曲保持ベルト４の両端Ｅ、Ｅは、身体装着時に身体の腹部の前方で、前記腰ベルト部３１の一分掛止可能とするとともに、互いに重ねて掛止可能とするための面ファスナーを内側面もしくは外側面に備えている。
図１に示したように、前記湾曲保持ベルト４の両端Ｅ、Ｅは、若干下げて前記腰ベルト３１に掛止するため、前記板状保持部３２の下部Ｄは前方もしくは前下方へ引っ張られる構造になるので、前記板状保持部３２は若干反り返った状態に湾曲する。従って、脊椎が湾曲していても、板状ゴム磁石２は、脊椎に沿って湾曲するので、充分な磁気治療効果が得られるのである。
前記湾曲保持ベルト４の両端Ｅ、Ｅを前記腰ベルトの表面の所望位置に掛止させるために、面ファスナーの範囲を広くするとよい。
また、前記腰ベルト３１の装着サイズを拡縮できるように、面ファスナーの範囲を広くするとよい。
【０００９】
図２には、前記身体装着体１を身体に装着した状態を図示した。図２の（ａ）は正面図、図２の（ｂ）は背面図である。
このように、腰ベルト３１と湾曲保持ベルト４とによって、板状ゴム磁石２を脊椎に沿って保持するので、脊椎まわりの血行を促し、筋を回復させ、背骨の凝り感や痛みの改善が期待できるのである。
また、背骨がねじれた場合にその椎骨の椎間孔が狭窄を起こし、その周囲に浮腫が発生し、神経根を圧迫するが、本発明の身体装着体を装着するとそこにも磁力が当たり、血行を促し浮腫の改善にも期待できるものである。
このようにして、本発明の身体装着体１の板状ゴム磁石は、椎骨の棘突起と横突起に付着する棘筋や横突間筋に磁力が当たるように様椎骨全部を覆うので、脊椎まわりの血行を促し、筋を回復させ、背骨の凝り感や痛みの改善が期待できるのである。
【００１０】
また、前記板状ゴム磁石もしくは前記板状保持部３２の素材に、イオンを発生させるものやセラミックや鉱石等を付着あるいは練り込んでも良い。
なお、本発明は、磁気発生手段の磁気効果が背骨の周囲に及ぶように、保持する手段を備えておればよいので、ベルト状の保持手段に限らず、ベストや下着等の種々の衣類であっても背骨の周囲に磁石を保持し、背骨に磁力が影響するようセットしてもよい。また、背骨の湾曲に応じた形状に予め成形した部材に磁石等の磁気発生部材を配設してもよい。
また、使用する磁石は長いシート状のために割れを防止するために、粘着テープで固定しているが、ゴム磁石の中に繊維を入れたものを作って割れないようにして、製作しても良いし、磁石の種類はシート状であれば何でも良い。
また、磁気発生手段を寝具に配設し、寝た状態で背骨の周囲に磁気を及ぼすように構成してもよい。
【実施例１】
【００１１】
本実施例の身体装着体は、７ｃｍの幅で第２胸椎から第２仙骨稜に当たるよう作ったものであるが、幅は限定せず、部分的に作っても良く、デザインはどんな形でも良いのである。例えば４ｃｍの幅で腰椎の３番だけにセットしても良いし、１０ｃｍの幅で胸椎の４番から１１番までと言うように脊柱であればどこでも良い。
【図面の簡単な説明】
【００１２】
【図１】本発明にかかる身体装着体の実施の形態の構成を示した構成図である。
【図２】前記身体装着体の使用状態の正面図と背面図である。
【符号の説明】
【００１３】
１    身体装着体
２    板状ゴム磁石
３    保持手段
４    湾曲保持ベルト
３１  腰ベルト部
３２  帯状保持部
３３  肩ベルト部
【図１】
2006230862.tif 000003
【図２】
2006230862.tif 000004